(57)【要約】【課題】空間光変調器と、位相変調素子との相対位置決め精度の向上を図る。【解決手段】空間光変調器１３によって、空間変調が施された参照光１５および信号光１４を得て、倍率変換系を構成する凸レンズ１６ａおよび凸レンズ１６ｂを通過した参照光３１と信号光３０を得て、参照光３１または／および信号光３１に位相変調素子１７ａないし位相変調素子１７ｃのいずれかによって位相変調を施してホログラム記録媒体１９に信号を記録し、ホログラム記録媒体１９から再生光３８を得る。倍率変換系によって、空間光変調器１３と位相変調素子との位置ずれの許容量を大きなものとできる。【選択図】図５
2007187775.tif 000002
【特許請求の範囲】
【請求項１】
レーザ光源からの光ビームに基づき発生される信号光と参照光とをホログラム記録媒体に照射することによって生じるホログラムを前記ホログラム記録媒体に記録するホログラム記録装置であって、
前記レーザ光源からの前記光ビームを通過させて参照光および信号光に空間変調を施す空間光変調器と、
前記空間光変調器の光学的共役面に所定倍率の拡大した共役像を発生するリレー光学系と、
前記拡大した共役像の形成面に配置され、位相変調を施された参照光を得る位相変調素子と、
を具備するホログラム記録装置。
【請求項２】
前記空間光変調器は、前記レーザ光源からの前記光ビームを通過させて参照光および信号光に空間変調を施す共通の空間光変調器であり、前記リレー光学系は、前記共通の空間光変調器からの参照光および信号光を通過させる共通のリレー光学系であることを特徴とする請求項１に記載のホログラム記録装置。
【請求項３】
前記空間光変調器は、前記レーザ光源からの前記光ビームを通過させて参照光に空間変調を施す第１空間光変調器および前記レーザ光源からの前記光ビームを通過させて信号光に空間変調を施す第２空間光変調器を有し、前記リレー光学系は、前記第１空間光変調器の光学的共役面に所定倍率の拡大した共役像を発生するリレー光学系であることを特徴とする請求項１に記載のホログラム記録装置。
【請求項４】
レーザ光源からの光ビームに基づき発生される信号光と参照光とをホログラム記録媒体に照射することによって生じるホログラムを前記ホログラム記録媒体に記録するホログラム記録装置であって、
前記レーザ光源からの前記光ビームを通過させて信号光に空間変調を施す空間光変調器と、
前記空間光変調器の光学的共役面に所定倍率の拡大した共役像を発生するリレー光学系と、
前記拡大した共役像の形成面に配置され、位相変調を施された信号光を得る位相変調素子と、
を具備するホログラム記録装置。
【請求項５】
レーザ光源からの光ビームに基づき発生される信号光と参照光とをホログラム記録媒体に照射することによって生じるホログラムを前記ホログラム記録媒体に記録するホログラム記録装置であって、
前記レーザ光源からの前記光ビームを通過させて参照光および信号光に空間変調を施す空間光変調器と、
前記空間光変調器の光学的共役面に所定倍率の拡大した共役像を発生するリレー光学系と、
前記拡大した共役像の形成面に配置され、位相変調を施された参照光および信号光を得る位相変調素子と、
を具備するホログラム記録装置。
【請求項６】
前記空間光変調器は、前記レーザ光源からの前記光ビームを通過させて参照光および信号光に空間変調を施す共通の空間光変調器であり、前記リレー光学系は、前記共通の空間変調からの参照光および信号光を通過させる共通のリレー光学系であり、前記位相変調素子は、前記共通のリレー光学系からの参照光および信号光を通過させる共通の位相変調素子であることを特徴とする請求項５に記載のホログラム記録装置。
【請求項７】
前記空間光変調器は、前記レーザ光源からの前記光ビームを通過させて参照光に空間変調を施す第１空間光変調器および信号光に空間変調を施す第２空間光変調器を有し、前記リレー光学系は、前記第１空間変調器からの参照光を通過させる第１リレー光学系および前記第２空間変調器からの信号光を通過させる第２リレー光学系を有し、前記位相変調素子は、前記第１リレー光学系からの参照光を通過させる第１位相変調素子および前記第２リレー光学系からの信号光を通過させる第２位相変調素子を有することを特徴とする請求項５に記載のホログラム記録装置。
【請求項８】
前記位相素子は、前記空間光変調器の変調単位に対して前記所定倍率を掛けた変調単位の位相変調を施すことを特徴とする請求項１、請求項４または請求項５の１項に記載のホログラム記録装置。
【請求項９】
前記リレー光学系は、同一のＮＡを有し、焦点距離が異なる２つの凸レンズで構成されることを特徴とする請求項１、請求項４または請求項５の１項に記載のホログラム記録装置。
【請求項１０】
前記リレー光学系は、凹レンズと凸レンズで構成されることを特徴とする請求項１、請求項４または請求項５の１項に記載のホログラム記録装置。
【請求項１１】
レーザ光源からの光ビームに基づき発生される参照光をホログラム記録媒体に照射することによって前記ホログラム記録媒体に形成されたホログラムに応じた再生信号を得て記録された情報を再生するホログラム再生装置であって、
前記レーザ光源からの前記光ビームを通過させて参照光に空間変調を施す空間光変調器と、
前記空間光変調器の光学的共役面に所定倍率の拡大した共役像を発生するリレー光学系と、
前記拡大した共役像の形成面に配置され、位相変調を施された参照光を得る位相変調素子と、
を具備するホログラム再生装置。
【請求項１２】
前記位相素子は、前記空間光変調器の変調単位に対して前記所定倍率である変調単位の位相変調を施すことを特徴とする請求項１１に記載のホログラム再生装置。
【請求項１３】
前記リレー光学系は、同一のＮＡを有し、焦点距離が異なる２つの凸レンズで構成されることを特徴とする請求項１１に記載のホログラム再生装置。
【請求項１４】
前記リレー光学系は、凹レンズと凸レンズとで構成されることを特徴とする請求項１１に記載のホログラム再生装置。
【請求項１５】
レーザ光源からの光ビームに基づき発生される信号光と参照光とをホログラム記録媒体に照射することによって生じるホログラムを前記ホログラム記録媒体に記録するホログラム記録装置または、前記参照光をホログラム記録媒体に照射することによって前記ホログラム記録媒体に形成されたホログラムに応じた再生信号を得て記録された情報を再生するホログラム再生装置に用いる光学装置であって、
前記レーザ光源からの前記光ビームを通過させて参照光または／および信号光に空間変調を施す空間光変調器と、
前記空間光変調器の光学的共役面に所定倍率の拡大した共役像を発生するリレー光学系と、
前記拡大した共役像の形成面に配置され、前記空間光変調器の変調単位に対して前記所定倍率とした変調単位の位相変調を施された参照光または／および信号光を得る位相変調素子と、
を具備する光学装置。
【請求項１６】
前記位相変調素子は、変調ピクセル間の光路長の差を利用して位相変調をおこなうことを特徴とする請求項１５に記載の光学装置。
【発明の詳細な説明】
【技術分野】
【０００１】
本発明はホログラム記録再生装置およびそれに用いる光学装置に関する。
【背景技術】
【０００２】
ホログラフイを用いてデータを記録するホログラム記録装置および記録方法が提案されている。すなわち、記録すべき情報（記録データ）によって変調された信号光と参照光とを同一のレーザ光源から生成し、ホログラム記録媒体に照射する。それによって、ホログラム記録媒体上で信号光と参照光とが干渉してホログラム記録媒体中に回折格子（ホログラム）が形成され、回折格子（ホログラム）の形状として記録データが記録される。
【０００３】
また、このようにして記録された回折格子（ホログラム）から記録データを再生するホログラム再生装置および再生方法が提案されている。すなわち、記録済みの記録媒体に形成された回折格子（ホログラム）に参照光を照射すると再生光（回折光）が発生する。この再生光を受光素子で検出して復号のための信号処理をおこない記録データを再生できる。
【０００４】
このような記録再生において、信号光と参照光をどのように発生させるかについては、二つの記録再生方式が提案されている。信号光の光路と参照光の光路とを全く別個に配する二光束干渉記録再生方式（以下、二光束方式と省略する）と、信号光と参照光とを同軸上に配し、光路を共有するコアクシャル記録再生方式（以下、コアクシャル方式と省略する）とである。コアクシャル方式においては、空間光変調器（ＳＬＭ）の外周部に参照光用のパターンを形成するとともに空間光変調器の内周部に信号光用のパターンを形成して記録媒体に記録をし、空間光変調器の外周部に参照光用のパターンのみ形成し、記録された記録媒体から再生光を得て記録データを再生している（例えば、非特許文献１を参照）。
【０００５】
コアクシャル方式としては、米国の国家プロジェクトＨＤＳＳがおこなった構成の例としては、図７に示すものがあり、空間光変調器（液晶パネル）５１の周りに位相マスク（位相変調素子）５２を配置して瞳分割をおこなう方式が提案されている。すなわち、レーザ光源（図示しない）から出射されビームエキスパンダ等で平行光にされたレーザ光５０が、記録情報に応じて空間光変調された空間光変調器５１に入射して信号光７０となり、フーリエ変換レンズ（対物レンズ）５３に入射してホログラム記録媒体（例えば、ホトポリマー）５４の記録スポット６０に集光される。これと同時に、レーザ光５０は、位相マスク５２に入射してスペックル状の参照光９０を発生させ、フーリエ変換レンズ５３に入射してホログラム記録媒体５４のスポット８０に集光される。
【０００６】
これにより、信号光７０と参照光９０との干渉により生じる干渉縞がホログラム記録媒体５４の記録スポット６０に記録されるが、その際、スポット８０を照射する参照光９０はスペックル状で、その波面が複雑なため、僅かにシフトしただけで、元の参照光と移動した参照光との間で波面の不一致が生じ、シフト選択性を鋭くすることができ、その分、ホログラム記録媒体５４における記録密度を向上させることができる。
【０００７】
このような事情に鑑み本願の出願人は、図８の（Ａ）に正面図を示し、図８の（Ｂ）に側面図を示す、参照光をスペックル状にする位相マスク（位相変調素子）として透明基板１１０の一面に透明な凸部１１１（又は凹部）を複数個配列した構成ものを用いることを提案した（特許文献１を参照）。このような位相マスク１００はフォトリソグラフなどで容易に作成でき且つ、その際に凸部１１１（又は凹部）のサイズを容易にコントロールすることができる。それ故、信号光を強度変調する空間光変調器の画素サイズに対して、位相マスクの凸部１１１（又は凹部）のサイズを略等しいか、または必要なだけ小さく設定することが容易にできるため、参照光の集光スポットサイズが信号光のスポットサイズをカバーし且つ、無駄にホログラム記録媒体を露光させる部分を最小限にすることができるような位相マスクを容易に作成することができるものである。
【非特許文献１】日経エレクトロニクス２００５年１月１７日号Ｐ１０６〜１１４
【特許文献１】特開２００５−２４１７７３号公報
【発明の開示】
【発明が解決しようとする課題】
【０００８】
しかし、上述したホログラム記録再生において、（記録）信号パターン、あるいは参照光パターンまたは信号パターンおよび参照光パターンの両方に位相変調を施す場合、原パターンと位相変調素子との相対位置決め（ピクセルマッチング）精度が、原パターンの空間周波数（変調単位ピクセルサイズ）に律則されている。例えば、ピクセルマッチングの経時変化により、記録されたホログラムの信号劣化が発生し、または、記録されたホログラムからの情報の再生における信号劣化が生じ、安定したホログラム記録再生を行う上での障害となっていた。さらに、変調単位ピクセルサイズ（ピクセルピッチ）に較べて位相変調素子のピクセルサイズ（ピクセルピッチ）を同一または小さくして、大きな効果を得る場合には、変調単位ピクセルサイズの縮小に伴い、位相変調素子のピクセルサイズの加工精度を向上させる必要があった。
【０００９】
本発明は、上述した課題を解決し、ホログラム記録再生において、空間光変調器の記録信号パターンに位相変調を施すときに、位相変調素子との相対位置決め精度の向上、及び経時相対位置ずれに対する許容度が向上し、品質の良いホログラム記録再生パターンを得ることができるようにして、安定したホログラム記録、及び再生信号検出ができるようにし、さらに、空間光変調器のピクセルサイズより位相変調素子のピクセルサイズを大きくすることで、位相変調素子の加工精度を相対的に低くすることができ、安価に製作することができる位相変調素子を備える光学装置およびこのような光学装置を用いるホログラム記録再生装置を提供するものである。
【課題を解決するための手段】
【００１０】
本発明のホログラム記録装置は、レーザ光源からの光ビームに基づき発生される信号光と参照光とをホログラム記録媒体に照射することによって生じるホログラムを前記ホログラム記録媒体に記録するホログラム記録装置であって、前記レーザ光源からの前記光ビームを通過させて参照光および信号光に空間変調を施す空間光変調器と、前記空間光変調器の光学的共役面に所定倍率の拡大した共役像を発生するリレー光学系と、前記拡大した共役像の形成面に配置され、位相変調を施された参照光を得る位相変調素子と、を具備する。
【００１１】
このホログラム記録装置は、レーザ光源からの光ビームに基づき発生される信号光と参照光とをホログラム記録媒体に照射することによって生じるホログラムをホログラム記録媒体に記録するホログラム記録装置である。そして、空間光変調器と、リレー光学系と、位相変調素子と、を具備する。空間光変調器は、レーザ光源からの光ビームを通過させて参照光および信号光に空間変調を施し、リレー光学系は、空間光変調器の光学的共役面に所定倍率の拡大した共役像を発生し、位相変調素子は、拡大した共役像の形成面に配置され、参照光に位相変調を施された参照光を得る。
【００１２】
また、別の本発明のホログラム記録装置は、レーザ光源からの光ビームに基づき発生される信号光と参照光とをホログラム記録媒体に照射することによって生じるホログラムを前記ホログラム記録媒体に記録するホログラム記録装置であって、前記レーザ光源からの前記光ビームを通過させて信号光に空間変調を施す空間光変調器と、前記空間光変調器の光学的共役面に所定倍率の拡大した共役像を発生するリレー光学系と、前記拡大した共役像の形成面に配置され、位相変調を施された信号光を得る位相変調素子と、を具備する。
【００１３】
このホログラム記録装置は、レーザ光源からの光ビームに基づき発生される信号光と参照光とをホログラム記録媒体に照射することによって生じるホログラムをホログラム記録媒体に記録するホログラム記録装置である。そして、空間光変調器と、リレー光学系と、位相変調素子と、を具備する。空間光変調器は、レーザ光源からの光ビームを通過させて参照光および信号光に空間変調を施し、リレー光学系は、空間光変調器の光学的共役面に所定倍率の拡大した共役像を発生し、位相変調素子は、拡大した共役像の形成面に配置され、信号光に位相変調を施された信号光を得る。
【００１４】
さらに、別の本発明のホログラム記録装置は、レーザ光源からの光ビームに基づき発生される信号光と参照光とをホログラム記録媒体に照射することによって生じるホログラムを前記ホログラム記録媒体に記録するホログラム記録装置であって、前記レーザ光源からの前記光ビームを通過させて参照光および信号光に空間変調を施す空間光変調器と、前記空間光変調器の光学的共役面に所定倍率の拡大した共役像を発生するリレー光学系と、前記拡大した共役像の形成面に配置され、位相変調を施された参照光および信号光を得る位相変調素子と、を具備する。
【００１５】
このホログラム記録装置は、レーザ光源からの光ビームに基づき発生される信号光と参照光とをホログラム記録媒体に照射することによって生じるホログラムをホログラム記録媒体に記録するホログラム記録装置である。そして、空間光変調器と、リレー光学系と、位相変調素子と、を具備する。空間光変調器は、レーザ光源からの光ビームを通過させて参照光および信号光に空間変調を施し、リレー光学系は、空間光変調器の光学的共役面に所定倍率の拡大した共役像を発生し、位相変調素子は、拡大した共役像の形成面に配置され、参照光および信号光に位相変調を施す。
【００１６】
本発明のホログラム再生装置は、レーザ光源からの光ビームに基づき発生される参照光をホログラム記録媒体に照射することによって前記ホログラム記録媒体に形成されたホログラムに応じた再生信号を得て記録された情報を再生するホログラム再生装置であって、前記レーザ光源からの前記光ビームを通過させて参照光に空間変調を施す空間光変調器と、前記空間光変調器の光学的共役面に所定倍率の拡大した共役像を発生するリレー光学系と、前記拡大した共役像の形成面に配置され、前記空間光変調器の変調単位に対して前記所定倍率を掛けた変調単位の位相変調を施された参照光を得る位相変調素子と、を具備する。
【００１７】
このホログラム再生装置は、レーザ光源からの光ビームに基づき発生される参照光をホログラム記録媒体に照射することによってホログラム記録媒体に形成されたホログラムに応じた再生信号を得て記録された情報を再生するホログラム再生装置であって、空間光変調器と、リレー光学系と、位相変調素子と、を具備する。そして、空間光変調器は、レーザ光源からの前記光ビームを通過させて参照光に空間変調を施し、リレー光学系は、拡大した共役像の形成面に配置され、参照光に位相変調を施された参照光を得る。
【００１８】
本発明の光学装置は、レーザ光源からの光ビームに基づき発生される信号光と参照光とをホログラム記録媒体に照射することによって生じるホログラムを前記ホログラム記録媒体に記録するホログラム記録装置または、前記参照光をホログラム記録媒体に照射することによって前記ホログラム記録媒体に形成されたホログラムに応じた再生信号を得て記録された情報を再生するホログラム再生装置に用いる光学装置であって、前記レーザ光源からの前記光ビームを通過させて参照光または／および信号光に空間変調を施す空間光変調器と、前記空間光変調器の光学的共役面に所定倍率の拡大した共役像を発生するリレー光学系と、前記拡大した共役像の形成面に配置され、位相変調を施された参照光または／および信号光を得る位相変調素子と、を具備する。
【００１９】
この光学装置は、レーザ光源からの光ビームに基づき発生される信号光と参照光とをホログラム記録媒体に照射することによって生じるホログラムをホログラム記録媒体に記録するホログラム記録装置または、参照光をホログラム記録媒体に照射することによって前記ホログラム記録媒体に形成されたホログラムに応じた再生信号を得て記録された情報を再生するホログラム再生装置に用いる光学装置であり、空間光変調器と、リレー光学系と、を具備する。そして、空間光変調器は、レーザ光源からの光ビームを通過させて参照光または／および信号光に空間変調を施し、リレー光学系は、空間光変調器の光学的共役面に所定倍率の拡大した共役像を発生し、位相変調素子は、拡大した共役像の形成面に配置され、位相変調を施された参照光または／および信号光を得る。
【発明の効果】
【００２０】
本発明によれば、空間光変調器と、位相変調素子との相対位置決め精度の向上、及び経時相対位置ずれに対する許容度が向上し、品質の良いホログラム記録再生パターンを得ることができるようにして、安定したホログラム記録、及び再生信号検出ができ、また、空間光変調器のピクセルサイズよりも位相変調素子のピクセルサイズを大きくすることによって、位相変調素子の加工精度を相対的に低くすることができ、安価に製作することができる光学装置およびこのような光学装置を用いるホログラム記録再生装置を提供する。
【発明を実施するための最良の形態】
【００２１】
（位相変調素子の作用の説明）
本実施形態の位相変調素子（位相マスク）およびこれを用いたホログラム記録再生装置（記録装置または再生装置、記録および再生装置）の説明に先立ち、図１に沿って、ホログラム記録再生装置の構成例を簡単に説明し、さらに、位相変調素子の作用を説明する。
【００２２】
図１に示すのはコアクシャル方式のホログラム記録再生装置である。まず記録の原理を説明する。レーザ光源１１から出射し、コリメートレンズ１２を通過した光ビームが空間光変調器１３に入射する。空間光変調器１３は、アレイ状に空間分割された領域（ピクセルサイズ）ごとに光ビームの透過と遮蔽を制御することができる素子である。空間光変調器１３により、信号光１４と、参照光１５とに領域分割されて強度変調された光ビームがリレーレンズ系１６を通過し、リレーレンズ系１６の出射側の焦点面に強度変調パターンの共役像が結像する。位相変調素子（位相マスク）１７は、リレーレンズ系１６の出射側の焦点面、すなわち、共役像の結像位置に設置する。位相変調素子１７により位相変調された信号光および参照光は、対物レンズ１８により、ホログラム記録媒体１９内に集光され、信号光と参照光とが干渉することにより、ホログラム記録媒体１９内の記録層に干渉縞、すなわちホログラムを形成する。以上がコアクシャル方式ホログラムにおける信号記録の過程である。
【００２３】
次に、コアクシャル方式における再生の過程を説明する。レーザ光源１１を出射し、コリメートレンズ１２を通過した光ビームが空間光変調器１３に入射する。再生の場合、信号光１４の領域は遮蔽され光量ゼロとなり、参照光１５のみが記録時と同一の強度パターンとして変調される。参照光１５のみが変調された光ビームは、リレーレンズ系１６、位相変調素子１７、対物レンズ１８を通過し、ホログラム記録媒体１９内のホログラム上に集光される。参照光によるホログラム記録媒体１９内のホログラムでの回折光が集光レンズ２０により再生ホログラムの光強度パターンとして、アレイ型光検出器２１の撮像面に結像する。このアレイ型光検出器２１として、ＣＣＤやＣＭＯＳなどの撮像素子が使われる。
【００２４】
図２の（Ａ）に示すのは、位相変調素子１７により信号光１４および参照光１５に位相変調を施さない場合のホログラム記録媒体１９内での光ビームの強度分布であり、図２の（Ｂ）に示すのは、位相変調を施した場合のホログラム記録媒体１９内での光ビームの強度分布である。位相変調素子１７により、原パターンの１ピクセル、あるいは複数ピクセル単位で位相変調がおこなわれた場合、そのフーリエ変換像の強度ピークが低減し、強度分布範囲が広がる。このことにより、ホログラム記録媒体１９のホログラム中心位置での集中的なメディア消費が緩和され、記録媒体の使用効率が向上する。また、上述したコアクシャル方式ホログラム記録の場合、信号光と参照光との干渉領域が拡大することにより、記録効率が向上し、その結果として、再生信号の品質も向上する。
【００２５】
図３には、位相変調素子の作成例を示す。この例では、ＳｉＯ2基板にピクセルピッチ（ピクセルサイズ）でランダムにパターニングしたマスクを用いてエッチング処理を施したものである。エッチング深さは、最大で光ビームの波長の１／２程度の深さとされる。このエッチング深さは、光ビームの波長の１／２程度の深さに限定されるものではなく、強度分布範囲との関係で、適宜、選択が可能なものである。
【００２６】
図４は、図３に一例として示す位相変調素子１７を用いて、上述する光学系を構成した場合の透過信号の特性を示すものである。ここで、図４に示すグラフの横軸は、原パターンと位相変調素子１７との間の相対位置ずれ量を示し、図４に示すグラフの縦軸は、エラーレートを示すものである。この場合は、空間光変調器１３の変調ピクセルピッチと位相変調素子１７の変調ピクセルピッチは等しい倍率となっている。
【００２７】
図４から明らかなように、位相変調素子の位置ずれ量が２０〜３０%の範囲においては、ほとんどエラーレートの悪化が生ぜず、位相変調素子の位置ずれ量が約４０%以上となると急激にエラーレートが悪化しはじめ、位相変調素子の位置ずれ量が約５０%程度になると、極端にエラーレートが悪化し、情報の記録再生が困難となることを示している。
【００２８】
この図４をもとに、相対位置ずれの許容値を求める。例えば、原パターンのピクセルピッチが１０μmであるとすると、原パターンと位相変調素子との相対位置ずれは、１０μｍの２０〜３０%の範囲である±２〜３μm以内である必要があるといえる。
【００２９】
（実施形態の説明）
図５を参照して、このような位相変調素子を用いる特徴あるホログラム記録再生用の光学装置およびホログラム記録再生装置について説明する。図５に示すのは、参照光と信号光とが共通の光路、すなわち、共通の光学部品によって作用を受けるコアクシャル方式であって、かつホログラム記録媒体を光ビームが透過する透過型のホログラム記録再生装置である。参照光と信号光とが別光路を通過する二光束方式のホログラム記録再生装置、ホログラム記録媒体で光ビームが反射する反射型のホログラム記録再生装置、およびこれらの組み合わせのホログラム記録再生装置についても実施形態として成立し得るものであるが、まず、代表例として、コアクシャル方式であって、かつホログラム記録媒体を光ビームが透過する透過型のホログラム記録再生装置について説明する。
【００３０】
図５に示すホログラム記録再生装置においては、図１に示すホログラム記録再生装置に対する構成の特徴点は以下の点である。図１に示すリレーレンズ系１６に替えて、凸レンズ１６ａと凸レンズ１６ｂとからなるリレーレンズ系は、倍率変換系とされている点、図１に示す位相変調素子１７と異なり、位相変調素子１７ａのサイズおよび配置位置が異なる点である。
【００３１】
ここで、図５に示すホログラム記録再生装置は、ホログラム記録装置およびホログラム再生装置として動作するものである。ホログラム記録装置としては、レーザ光源１１からの光ビームに基づき発生される信号光と参照光とをホログラム記録媒体に照射することによって生じるホログラムをホログラム記録媒体１９に記録するホログラム記録装置であるが、後述する位相変調素子１７ａないし位相変調素子１７ｃのいずれかを含むものであり、位相変調素子の構成に応じてホログラム記録装置としての態様には以下の３つが有る。
【００３２】
第１態様は、空間光変調器１３によって、空間変調が施された参照光１５および信号光１４、または、少なくとも空間変調が施された信号光１４を得て、倍率変換系を通過した参照光３１と信号光３０を得て、参照光３１のみに位相変調素子１７ａによって位相変調を施して参照光３３を得て、信号光３０には、位相変調素子１７ａによって位相変調を施すことなく、信号光３２を得る場合である。ここで、位相変調素子１７ａによる位相変調作用は、例えば、変調ピクセル間の光路長の差を利用した光学素子で得られるものであるが、上述したように、参照光３１のみに位相変調を施すためには、参照光３１の通過する領域のみに光路長の差を利用した光学素子を配し、信号光３０の通過する領域には、開口部を設けて部材を配置しないか、位相素子の機械的な強度を確保するために位相変調特性を有しない透過性の良い材料によって形成される位相変調素子１７ａを用いるものである。
【００３３】
第２態様は、空間光変調器１３によって、空間変調が施された参照光１５および空間変調が施された信号光１４を得て、倍率変換系を通過した参照光３１と信号光３０を得て、信号光３０のみに位相変調素子１７ｂによって位相変調を施して信号光３２を得て、参照光３１には、位相変調素子１７ｂによって位相変調を施すことなく、参照光３３を得る場合である。この場合には、上述したような作用を有する位相変調素子として、信号光３０の通過する領域のみに光路長の差を利用した光学素子を配し、参照光３１の通過する領域には、部材を配置しない位相変調素子１７ｂを用いるものである。
【００３４】
第３態様は、空間光変調器１３によって、空間変調が施された参照光１５および空間変調が施された信号光１４を得て、倍率変換系を通過した参照光３１と信号光３０を得て、参照光３１および信号光３０の両方に位相変調素子１７ｃによって位相変調を施して参照光３３および信号光３２を得る場合である。この場合には、この場合には、上述したような作用を有する位相変調素子として、参照光３１および信号光３０の通過する領域に光路長の差を利用した光学素子を配する位相変調素子１７ｃを用いるものである。
【００３５】
まず、上述した第１態様の、参照光３１のみに位相変調素子１７ａによって位相変調を施して参照光３３を得る場合について図５を参照して説明する。
【００３６】
第１態様のホログラム記録装置は、レーザ光源１１からの光ビームを通過させて空間変調を施した参照光１５および信号光１４を得る空間光変調器１３と、この空間光変調器１３の光学的共役面に所定倍率（例えばα倍）の拡大した共役像を発生する凸レンズ１６ａおよび凸レンズ１６ｂとからなるリレーレンズ系と、この拡大された共役像の形成面に配置してスペックル状とされた参照光３３を得る位相変調素子１７ａと、を有する光学装置を具備するものである。
【００３７】
また、制御部２２を具備しており、制御部２２は、レーザ光源１１からの光ビームの光量を制御し、記録すべき情報に応じて空間光変調器１３を制御して所望の空間変調を施した信号光１４を発生させる。また、空間光変調器１３の参照光が透過する領域についても、空間光変調器１３を制御して所望のピクセルサイズｐの空間光変調をおこない参照光１５を発生させる。
【００３８】
ここで、空間光変調器１３は、ピクセルサイズ（ピクセルピッチ）ｐとして形成されており、空間光変調器１３を出射した信号光１４および参照光１５が、凸レンズ１６ｂと凸レンズ１６ａとを通過する。この凸レンズ１６ｂの焦点距離はLであり、凸レンズ１６ａの焦点距離はαLであり、両方が等しいＮＡ（Ｎｕｍｅｒｉｃａｌ  Ａｐｅｒｔｕｒｅ）のレンズで構成されている。この場合、出射側焦点位置に結像する共役像は、変調ピッチがα×ｐとなる。よって、空間光変調器１３出射側の共役像形成面に位相変調素子１７ａを配置し、参照光３１の通過部の位相変調素子の変調単位はα×ｐとなるものとしている。
【００３９】
このように空間光変調器１３によって空間変調された参照光１５を、凸レンズ１６ａと凸レンズ１６ｂとからなるリレーレンズ系を通過させ参照光３１として参照光信号パターンを拡大し、位相変調素子１７ａによってスペックル状とした参照光３３を得て、対物レンズ１８を通過した参照光３５と信号光３４とをホログラム記録媒体１９に照射する場合には、上述したようにシフト選択性を鋭くすることができ、その分、ホログラム記録媒体１９における記録密度を向上させることができるという位相変調素子を用いることによる基本的な効果に加え、信号光３４と参照光３５との干渉領域が拡大することにより、記録効率、すなわち、記録信号の品質が向上する。
【００４０】
また、上述したように、相対位置ずれ許容量は位相変調素子のピクセルピッチに律則されるため、このような、倍率変換系においては、図１に示す等倍の共役像を生成するリレーレンズ系と比較した場合には、原パターンと位相変調素子との相対位置ずれに対する許容量がα倍となる。ここで、位相変調素子の変調単位は、かならずしも、α×ｐとするものに限らず、空間光変調器１３の変調単位よりも位相変調素子の変調単位が大きいものであれば、相対位置ずれの許容量は大きくできるものであるが、一例としては、空間光変調器１３の変調単位に対して位相変調素子の変調単位の倍数であるαが３．９３付近である場合には球面収差の最小化という観点からも性能向上が図れるものである。すなわち、この拡大倍率αはレンズ単体での球面収差が最小である、平凸レンズ、あるいは平凹レンズ２枚を組み合わせて用いる場合の焦点距離と球面収差係数とから決まる、拡大光学系全体の球面収差を零とする条件から決定することもできるものである。
【００４１】
コアクシャル方式では、シフト多重方式によるホログラムの多重を行う場合、信号光と参照光との干渉領域を拡大させるために参照光に位相変調を施す技術は有効なものである。
【００４２】
すなわち、このように、シフト選択性を鋭くすることができ、その分、ホログラム記録媒体１９における記録密度を向上させることができるという位相変調素子を用いることによる基本的な効果に加え、参照光信号パターンを拡大したうえ位相変調を施すことにより、経時相対位置ずれに対する許容度が向上する。このことにより、品質の良いホログラム記録パターンを得ることができるようになり、安定的にホログラム記録ができるようになる。
【００４３】
また、空間光変調器のピクセルサイズｐに対して、位相変調素子の変調ピクセルサイズは、α倍のαｐとすることができるので、位相変調素子１７ａの加工精度トレランスが大きくなり、製造コスト化を低下させることができるようになる。
【００４４】
第２態様のホログラム記録装置は、レーザ光源１１からの光ビームを通過させて空間変調を施した参照光１５および信号光１４を空間光変調器１３から得た後に、リレー光学系を通過させ、共役像の形成面に配置してスペックル状とされた信号光３２を得る位相変調素子１７ｂと、を有する光学装置を具備するものである。上述した第１態様のホログラム記録装置とは、位相変調を施されるのが参照光３３に替えて信号光３２である点が異なるが、その他については同様であるので、各部の説明は省略する。
【００４５】
このようにして、シフト選択性を鋭くすることができ、その分、ホログラム記録媒体１９における記録密度を向上させることができるという位相変調素子を用いることによる基本的な効果に加え、信号光信号パターンを拡大したうえで位相変調を施すことにより、空間光変調器１３と位相変調素子１７ｂとの相対位置決め精度が図１に示すものに較べてα倍向上する。また、経時相対位置ずれに対する許容度が向上する。このことにより、品質の良いホログラム記録パターンを得ることができるようになり、安定的にホログラム記録できるようになる。
【００４６】
また、空間光変調器のピクセルサイズｐに対して、位相変調素子の変調ピクセルサイズは、α倍のαｐとすることができるので、位相変調素子１７ａの加工精度トレランスが大きくなり、製造コスト化を低下させることができるようになる。
【００４７】
第３態様のホログラム記録装置は、レーザ光源１１からの光ビームに空間変調を施した参照光１５および信号光１４を空間光変調器１３から得た後に、リレー光学系を通過させ、共役像の形成面に配置してスペックル状とされた参照光３３および信号光３２を得る位相変調素子１７ｃと、を有する光学装置を具備するものである。上述した第１態様のホログラム記録装置とは、参照光３１に位相変調を施して参照光３３を得るのみならず、信号光３０にも位相変調を施して信号光３２を得る点が異なるが、その他については同様であるので、各部の説明は省略する。
【００４８】
すなわち、このように、参照光または信号光のいずれか一方にのみ位相変調を施す場合に較べて、記録効率がさらに向上して、さらにシフト選択性を鋭くすることができ、その分、ホログラム記録媒体１９における記録密度を向上させることができるという位相変調素子を用いることによる基本的な効果に加え、参照光信号パターンおよび信号光信号パターンを拡大したうえ位相変調を施すことにより、空間光変調器１３と位相変調素子１７ｃとの相対位置決め精度が図１に示すものに較べてα倍向上する。経時相対位置ずれに対する許容度が向上する。このことにより、品質の良いホログラム記録パターンを得ることができるようになり、安定的にホログラム記録できるようになる。
【００４９】
また、空間光変調器のピクセルサイズｐに対して、位相変調素子の変調ピクセルサイズは、α倍のαｐとすることができるので、位相変調素子１７ａの加工精度トレランスが大きくなり、製造コスト化を低下させることができるようになる。
【００５０】
図５に示すホログラム記録再生装置は、レーザ光源からの光ビームに基づき発生される参照光をホログラム記録媒体に照射することによって前記ホログラム記録媒体に形成されたホログラムに応じた再生信号を得て記録された情報を再生するホログラム再生装置としても動作をするものである。以下、図５に示すホログラム記録再生装置のホログラム再生装置としての説明をおこなう。
【００５１】
図５に示すホログラム再生装置は、レーザ光源１１からの光ビームを通過させて参照光に空間変調を施す空間光変調器１３と、空間光変調器１３の光学的共役面に所定倍率の拡大した共役像を発生する凸レンズ１６ａおよび凸レンズ１６ｂとからなるリレー光学系と、この拡大された共役像の形成面に配置してスペックル状とされた参照光３３を得る位相変調素子１７ａと、を有する光学装置を具備するものである。
【００５２】
また、制御部２２を具備しており、制御部２２は、レーザ光源１１からの光ビームの光量を制御し、空間光変調器１３を制御して信号光の透過をゼロとする空間変調をおこない信号光１４の光量をゼロとする。また、空間光変調器１３を制御して所望のピクセルサイズｐの空間光変調をおこない参照光１５を発生させる。また、アレイ型光検出器２１によって再生光３８に基づく再生電気信号を検出し、この再生電気信号より、ホログラムに記録された情報を再生する。この場合にホログラムとして記録される情報は上述した３つの態様のホログラム記録装置のいずれかによってホログラム記録媒体に記録されたものである。
【００５３】
ここで、空間光変調器１３は、ピクセルピッチｐとして形成されており、空間光変調器１３では、信号光１４の透過率はゼロ、すなわち照射されないものとされており、信号光３２、信号光３４もまた発生することがないものである。一方、空間光変調器１３を出射した参照光１５が、凸レンズ１６ｂと凸レンズ１６ａとを通過する。この凸レンズ１６ｂの焦点距離はLであり、凸レンズ１６ａの焦点距離はαLであり、両方が等しいＮＡのレンズで構成されている。この場合、出射側焦点位置に結像する共役像は、変調ピッチがα×ｐとなる。よって、空間光変調器１３出射側の共役像形成面に位相変調素子１７ａを配置し、参照光３１の通過部の位相変調素子の変調単位はα×ｐとなるものとしている。
【００５４】
このように空間光変調器１３によって空間変調された参照光１５を、凸レンズ１６ａと凸レンズ１６ｂとからなるリレーレンズ系を通過させ参照光３１として参照光信号パターンを拡大し、位相変調素子１７ａによってスペックル状とした参照光３３を得て、対物レンズ１８を通過した参照光３５をホログラム記録媒体１９に照射する場合には、上述したように、再生時におけるシフト選択性を鋭くすることができ、その分、ホログラム記録媒体１９からの再生信号の品質を向上させることができるという位相変調素子を用いることによる基本的な効果に加え、参照光３５との交差領域が拡大することにより、再生効率、すなわち、再生信号の品質（Ｓ／Ｎ比等）が向上する。
【００５５】
また、上述したように、相対位置ずれ許容量は位相変調素子のピクセルピッチに律則されるため、このような、倍率変換系においては、図１に示す等倍の共役像を生成するリレーレンズ系と比較した場合には、原パターンと位相変調素子との相対位置ずれに対する許容量がα倍となる。ここで、位相変調素子の変調単位は、かならずしも、α×ｐとするものに限らず、空間光変調器１３の変調単位よりも位相変調素子の変調単位が大きいものであれば、相対位置ずれの許容量は大きくできるものであるが、一例としては、空間光変調器１３の変調単位に対して位相変調素子の変調単位の倍数であるαが３．９３付近である場合には球面収差の最小化という観点からも性能向上が図れるものである。すなわち、この拡大倍率αはレンズ単体での球面収差が最小である、平凸レンズ、あるいは平凹レンズ２枚を組み合わせて用いる場合の焦点距離と球面収差係数とから決まる、拡大光学系全体の球面収差を零とする条件から決定することもできるものである。
【００５６】
すなわち、このように、参照光信号パターンを拡大したうえで位相変調を施すことにより、空間光変調器１３と位相変調素子１７ａとの相対位置決め精度が図１に示すものに較べてα倍向上する。また、経時相対位置ずれに対する許容度が向上する。このことにより、品質の良い再生光を得ることができるようになり、安定的にホログラムから情報を再生できるようになる。
【００５７】
また、空間光変調器のピクセルサイズｐに対して、位相変調素子の変調ピクセルサイズは、α倍のαｐとすることができるので、位相変調素子１７ａの加工精度トレランスが大きくなり、製造コスト化を低下させることができるようになる。
【００５８】
（実施形態の変形例）
上述した、リレーレンズを用いた倍率変換系は、凸レンズ１６ａと凸レンズ１６ｂとしていずれも凸レンズを用いるものであったが、図６に示すように、倍率変換系は凹レンズ１６ｄと凸レンズ１６ｃとを用いるものであっても良いものである。この場合においても、出射側の共役像形成面に位相変調素子を配置し、位相変調素子の変調単位はα×ｐとなるものとしている。このような構成によって、図５に示す２つの凸レンズを用いる場合と同様の効果が得られる。なお、図５におけると同一部分には同一の符号を付して説明を省略する。
【００５９】
すなわち、このように、参照光または信号光のいずれか一方またはその両方に位相変調を施す場合はシフト選択性を鋭くすることができ、その分、ホログラム記録媒体１９における記録密度を向上させることができるという位相変調素子を用いることによる基本的な効果に加え、再生光パターン若しくは信号光信号パターンまたはその両方を拡大したうえ位相変調を施すことにより、空間光変調器１３と位相変調素子１７ｃとの相対位置決め精度が図１に示すものに較べてα倍向上する。経時相対位置ずれに対する許容度が向上する。このことにより、品質の良いホログラム記録パターンを得ることができるようになり、安定的にホログラム記録できるようになる。
【００６０】
また、空間光変調器のピクセルサイズｐに対して、位相変調素子の変調ピクセルサイズは、α倍のαｐとすることができるので、位相変調素子１７ａの加工精度トレランスが大きくなり、製造コスト化を低下させることができるようになる。なお、上述したように、位相変調素子の変調単位は、特に限定されるものではなく、変調単位をｐよりも大きく設定するばあいには、相対位置決め精度が向上し、経時相対位置ずれに対する許容度が向上するという効果が得られる。さらに、一例としては、空間光変調器１３の変調単位に対して位相変調素子の変調単位の倍数であるαが３．９３付近である場合には球面収差の最小化という観点からも性能向上が図れるものである。
【００６１】
なお、上述の説明は透過型のコアクシャル方式のホログラム記録再生装置についておこなったが、透過型に限らず、ホログラム記録媒体を反射型（図示せず）として、ホログラム記録媒体に照射する光ビームが透過したと同一の対物レンズ（図５においては対物レンズ１８に相当する）を再生光３８が再び透過するようにして、対物レンズと位相変調素子（図５においては、対物レンズ１８と位相変調素子１７ａないし位相変調素子１７ｃに相当する）との間に設けられたビームスプリッタ（図示せず）によって、対物レンズ側に戻った再生光を分離し、その再生光をアレイ型光検出器によって再生光に基づく再生電気信号を検出し、この再生電気信号より、ホログラムに記録された情報を再生するものとしてもよいものである。この場合においても、透過型におけると同様の効果を生じるものである。
【００６２】
また、さらに、コアクシャル方式のホログラム記録再生装置に限ることなく、信号光と参照光とを独立の光ビームとし、ホログラム記録媒体内で干渉させてホログラム記録を行う二光束方式の光学装置（図示せず）を用いるホログラム記録再生装置（図示せず）であっても同様の効果を得ることができる。
【００６３】
従来技術として公知の二光束方式のホログラム記録装置の場合においては、空間光変調器は、同一のレーザ光源からの光ビームを、例えば、ビームスプリッタ等で、参照光ビームと信号光ビームとの光路を分離して、異なる光学部品によって光学的な作用を受けるような光路の設計をおこない、レーザ光源からの参照光と、レーザ光源からの信号光とをホログラム記録媒体に照射するものである。
【００６４】
本発明を二光束方式に適用する場合の実施形態の一例としては、以下に示す構成を取ることとなる。レーザ光源からの参照光の光ビームを通過させて参照光に空間変調を施す第１空間光変調器およびレーザ光源からの信号光の光ビームを通過させて信号光に空間変調を施す第２空間光変調器を有し、また、リレー光学系については、第１空間光変調器の光学的共役面に所定倍率の拡大した共役像を発生するリレー光学系として、位相変調素子については、この拡大した共役像の形成面に配置し、空間光変調器の変調単位に対して所定倍率とした変調単位の位相変調を施された参照光を得るものとして、このような２つの光路を通過した各々の光ビームをホログラム記録媒体に照射することによって生じるホログラムをホログラム記録媒体に記録するものとすることができる。
【００６５】
ここで、所定倍率の拡大した共役像を発生するリレー光学系としては、図５に示すような凸レンズを２つ組み合わせたもので構成しても、図６に示すような凹レンズと凸レンズとを組み合わせて構成するものであっても良いものである。また、第１空間光変調器および第２空間光変調器の各々は図５に示す空間光変調器１３と同様の構成とされ、制御部によって、その動作が制御されるものである。位相変調素子については、各々の光路に対応した形状とされ、その基本的な部分の構造は図５に示す位相変調素子と同一の構造を有するものとされている。
【００６６】
すなわち、このように、参照光の光路と信号光の光路の各々に位相変調を施すことによって、二光束方式においても、シフト選択性を鋭くすることができ、その分、ホログラム記録媒体における記録密度を向上させることができるという位相変調素子を用いることによる基本的な効果に加え、信号光信号パターンを拡大したうえで位相変調を施すことにより、空間光変調器と位相変調素子との相対位置決め精度がα倍向上し、また、経時相対位置ずれに対する許容度が向上し、このことにより、品質の良いホログラム記録パターンを得ることができるようになり、安定的にホログラム記録できるようになるという効果を得られるものである。
【００６７】
上述した実施形態の二光束方式の場合においては、空間光変調器は、レーザ光源からの参照光の光ビームを通過させて参照光に空間変調を施す第１空間光変調器および、レーザ光源からの信号光の光ビームに空間変調を施す第２空間光変調器を有し、リレー光学系としては、第１空間変調器からの参照光を通過させる第１リレー光学系および第２空間変調器からの信号光を通過させる第２リレー光学系を有し、位相変調素子としては、第１リレー光学系からの参照光を通過させる第１位相変調素子および第２リレー光学系からの信号光を通過させる第２位相変調素子を有するようにしたが、このような態様に限るものではない。
【００６８】
例えば、二光束方式の場合においては、信号光の光ビームのみに空間変調を施す空間光変調器を具備し、この空間光変調器の光学的共役面に所定倍率の拡大した共役像を発生するリレー光学系を具備し、この拡大した共役像の形成面に配置され、空間光変調器の変調単位に対してこの所定倍率とした変調単位の位相変調を施された信号光を得る位相変調素子を具備するものとしても良いものである。
【００６９】
また、二光束方式のホログラム再生装置の場合においては、レーザ光源からの光ビームを通過させて参照光に空間変調を施す空間光変調器と、空間光変調器の光学的共役面に所定倍率の拡大した共役像を発生するリレー光学系と、拡大した共役像の形成面に配置され、空間光変調器の変調単位に対して所定倍率とした変調単位の位相変調を施された参照光を得る位相変調素子と、を具備する光学装置を備え、このようにしてレーザ光源からの光ビームに基づき発生される参照光をホログラム記録媒体に照射することによってホログラム記録媒体に形成されたホログラムに応じた再生信号を得て記録された情報を再生するホログラム再生装置とすることができるものである。
【００７０】
なお、本発明は、上述した実施形態に限られるものではなく、その発明の技術的思想の範囲内で様々に変形し、組み合わせて実施することが可能である。
【図面の簡単な説明】
【００７１】
【図１】実施形態のホログラム記録再生装置の概念図である。
【図２】実施形態の位相変調素子の作用を示す図である。
【図３】実施形態の位相マスクのパターン例を示す図である。
【図４】実施形態の位相マスクの効果を示す図である。
【図５】実施形態のホログラム記録再生装置の概念図である。
【図６】実施形態のホログラム記録再生装置の概念図である。
【図７】背景技術のホログラム記録再生装置の概念図である。
【図８】背景技術の位相変調素子の構造を示す図である。
【符号の説明】
【００７２】
１１レーザ光源、１２  コリメートレンズ、１３  空間光変調器、１４、３０、３２、３４  信号光、１５、３１、３３、３５  参照光、１６  リレーレンズ系、１６ａ、１６ｂ、１６ｃ  凸レンズ、１６ｄ  凹レンズ、１７、１７ａ、１７ｂ、１７ｃ  位相変調素子、１８  対物レンズ、１９  ホログラム記録媒体、２０  集光レンズ、２１  アレイ型光検出器、２２  制御部、３８  再生光
【図１】
2007187775.tif 000003
【図２】
2007187775.tif 000004
【図３】
2007187775.tif 000005
【図４】
2007187775.tif 000006
【図５】
2007187775.tif 000007
【図６】
2007187775.tif 000008
【図７】
2007187775.tif 000009
【図８】
2007187775.tif 000010